(57)【特許請求の範囲】
【請求項１】
複数の室内機にそれぞれ設けられ暖房運転をする暖房回路と、
各室内機毎に設けられ該記室内機の運転状況により弁開度を変更する電子膨張弁と、
複数の室内機の冷房運転及び霜取り運転をする冷房回路と、
前記暖房回路及び前記冷房回路を駆動する圧縮機と、
前記暖房回路及び前記冷房回路と前記圧縮機との接続を切り替える四方弁と、
前記暖房回路、前記電子膨張弁、前記冷房回路、前記圧縮機及び前記四法弁を制御する制御部とを有する空気調和装置であって、
前記制御部は、
所定の室内機が暖房運転から霜取り運転へと移行する際、前記圧縮機の運転周波数を徐々に下げて該圧縮機を停止させ、
前記圧縮機が停止した後に、霜取り運転を行う室内機の前記電子膨張弁を霜取り運転開度とし、
前記圧縮機が停止した後に、霜取り運転を行わない室内機の前記電子膨張弁を所定の時間暖房停止開度に維持し、その後霜取り停止開度とし、
前記霜取り運転を行わない室内機の前記電子膨張弁が霜取り停止開度となった後に、前記四方弁を切り替える
ことを特徴とする空気調和装置。
【請求項２】
複数の室内機にそれぞれ設けられ暖房運転をする暖房回路と、
各室内機毎に設けられ該記室内機の運転状況により弁開度を変更する電子膨張弁と、
複数の室内機の冷房運転及び霜取り運転をする冷房回路と、
前記暖房回路及び前記冷房回路を駆動する圧縮機と、
前記暖房回路及び前記冷房回路と前記圧縮機との接続を切り替える四方弁と、
前記暖房回路、前記電子膨張弁、前記冷房回路、前記圧縮機及び前記四法弁を制御する制御部とを有する空気調和装置であって、
前記制御部は、
所定の室内機が暖房運転から霜取り運転へと移行する際、前記圧縮機の運転周波数を徐々に下げて該圧縮機を停止させ、
前記圧縮機が停止した後に、霜取り運転を行う室内機の前記電子膨張弁を霜取り運転開度とし、
前記圧縮機が停止した後に、霜取り運転を行わない室内機の前記電子膨張弁を一旦暖房停止開度以上の弁開度に開き、その後霜取り停止開度とし、
前記霜取り運転を行わない室内機の前記電子膨張弁が霜取り停止開度となった後に、前記四方弁を切り替える
ことを特徴とする空気調和装置。
【請求項３】
前記制御部は、
所定の室内機が霜取り運転から暖房運転へと移行する際、前記圧縮機の運転周波数を徐々に下げて該圧縮機を停止させ、
前記圧縮機が停止した後に、暖房運転を行わない室内機の前記電子膨張弁を暖房停止開度とする
ことを特徴とする請求項１または２に記載の空気調和装置。
【請求項４】
前記制御部は、
所定の室内機が霜取り運転から暖房運転へと移行する際、前記圧縮機の運転周波数を徐々に下げて該圧縮機を停止させ、
前記圧縮機が停止した後に、暖房運転を行わない室内機の前記電子膨張弁を一旦暖房停止開度以上の弁開度に開き、その後暖房停止開度とする
ことを特徴とする請求項１または２に記載の空気調和装置。
【請求項５】
前記圧縮機が停止してから前記四方弁を切り替えるまでの時間が、前記圧縮機の高低圧差がバランスして差圧がなくなるまでの時間である
ことを特徴とする請求項１から４のいずれか１項に記載の空気調和装置。
【請求項６】
複数の室内機にそれぞれ設けられ暖房運転をする暖房回路と、
各室内機毎に設けられ該記室内機の運転状況により弁開度を変更する電子膨張弁と、
複数の室内機の冷房運転及び霜取り運転をする冷房回路と、
前記暖房回路及び前記冷房回路を駆動する圧縮機と、
前記暖房回路及び前記冷房回路と前記圧縮機との接続を切り替える四方弁と、
前記暖房回路、前記電子膨張弁、前記冷房回路、前記圧縮機及び前記四法弁を制御する制御部とを有する空気調和装置の制御方法であって、
所定の室内機が暖房運転から霜取り運転へと移行する際、前記圧縮機の運転周波数を徐々に下げて該圧縮機を停止させる第１の制御工程と、
前記圧縮機が停止した後に、霜取り運転を行う室内機の前記電子膨張弁を霜取り運転開度にする第２の制御工程と、
前記圧縮機が停止した後に、霜取り運転を行わない室内機の前記電子膨張弁を所定の時間暖房停止開度に維持し、その後霜取り停止開度とする第３の制御工程と、
前記霜取り運転を行わない室内機の前記電子膨張弁が霜取り停止開度となった後に、前記四方弁を切り替える第４の制御工程と
を有することを特徴とする空気調和装置の制御方法。
【請求項７】
複数の室内機にそれぞれ設けられ暖房運転をする暖房回路と、
各室内機毎に設けられ該記室内機の運転状況により弁開度を変更する電子膨張弁と、
複数の室内機の冷房運転及び霜取り運転をする冷房回路と、
前記暖房回路及び前記冷房回路を駆動する圧縮機と、
前記暖房回路及び前記冷房回路と前記圧縮機との接続を切り替える四方弁と、
前記暖房回路、前記電子膨張弁、前記冷房回路、前記圧縮機及び前記四法弁を制御する制御部とを有する空気調和装置の制御方法であって、
所定の室内機が暖房運転から霜取り運転へと移行する際、前記圧縮機の運転周波数を徐々に下げて該圧縮機を停止させる第１の制御工程と、
前記圧縮機が停止した後に、霜取り運転を行う室内機の前記電子膨張弁を霜取り運転開度にする第２の制御工程と、
前記圧縮機が停止した後に、霜取り運転を行わない室内機の前記電子膨張弁を一旦暖房停止開度以上の弁開度に開き、その後霜取り停止開度とする第３の制御工程と、
前記霜取り運転を行わない室内機の前記電子膨張弁が霜取り停止開度となった後に、前記四方弁を切り替える第４の制御工程と
を有することを特徴とする空気調和装置の制御方法。
【請求項８】
所定の室内機が霜取り運転から暖房運転へと移行する際、前記圧縮機の運転周波数を徐々に下げて該圧縮機を停止させる第５の制御工程と、
前記圧縮機が停止した後に、暖房運転を行わない室内機の前記電子膨張弁を暖房停止開度にする第６の制御工程と
をさらに有することを特徴とする請求項６または７に記載の空気調和装置の制御方法。
【請求項９】
所定の室内機が霜取り運転から暖房運転へと移行する際、前記圧縮機の運転周波数を徐々に下げて該圧縮機を停止させる第５の制御工程と、
前記圧縮機が停止した後に、暖房運転を行わない室内機の前記電子膨張弁を一旦暖房停止開度以上の弁開度に開き、その後暖房停止開度にする第６の制御工程と
をさらに有することを特徴とする請求項６または７に記載の空気調和装置の制御方法。
【請求項１０】
前記圧縮機が停止してから前記四方弁を切り替えるまでの時間が、前記圧縮機の高低圧差がバランスして差圧がなくなるまでの時間である
ことを特徴とする請求項６から９のいずれか１項に記載の空気調和装置の制御方法。
【発明の詳細な説明】
【０００１】
【発明の属する技術分野】
この発明は暖房運転時に霜取り制御を実施する空気調和装置及びその制御方法に関し、特に、暖房運転から霜取り運転に移行する際、または霜取り運転から暖房運転に移行する際に生ずる四方弁切替時の冷媒音を緩和する空気調和装置及びその制御方法に関する。
【０００２】
【従来の技術】
従来、エアコンなどの空気調和装置においては、暖房運転から霜取り運転への移行や、霜取り運転から暖房運転への移行を四方弁の切り替えによって制御する技術が用いられることが多い。たとえば、特開平６−１４７７０４号公報には、霜取り運転の開始によって四方弁が切り替わったときに一定時間霜取り運転時の周波数よりも低い周波数を指示し、圧縮機の負荷が安定してから霜取り運転時の周波数を指示することにより、圧縮機の回転数のオーバーシュートを抑制した空気調和機の制御装置が開示されている。
【０００３】
図９は、かかる先行技術に代表される従来の空気調和装置による暖房運転時の霜取り制御の一例を示す図である。同図に示すように、この空気調和装置では、暖房運転から霜取り運転に移行する場合には、まず時刻ｔ２の時点で圧縮機を停止し、同時に電子膨張弁を霜取り運転開度にする。そして、一定期間（ｔ３−ｔ２）経過後の時刻ｔ３の時点で、四方弁を冷房回路に切り替え、圧縮機を起動して霜取り運転を開始する。
【０００４】
これに対して、霜取り運転から暖房運転に復帰する場合には、霜取り運転を終了した時刻ｔ５の時点で圧縮機を停止し、一定時間（ｔ６−ｔ５）経過後の時刻ｔ６の時点で四方弁を暖房回路に切り替え、同時に電子膨張弁を暖房運転開度にして圧縮機を起動し暖房運転を再開する。
【０００５】
このように、かかる空気調和装置では、電子膨張弁を霜取り運転開度とし、四方弁を冷房回路に切り替えて霜取り運転に移行するとともに、電子膨張弁を暖房運転開度とし、四方弁を暖房回路に切り替えて暖房運転に復帰する。
【０００６】
ところで、空気調和装置には、１台の室外機に１台の室内機を設けたシングルエアコン型の空気調整装置（以下「シングルエアコン」と言う。）だけではなく、１台の室外機に複数台の室内機を設けたマルチエアコン型の空気調和装置（以下「マルチエアコン」と言う。）もある。このため、ここでは従来のマルチエアコンによる暖房運転時の霜取り制御についても説明する。
【０００７】
図１０は、従来のマルチエアコンによる暖房運転時の霜取り制御の一例を示す図である。同図に示すように、このマルチエアコンでは、暖房運転から霜取り運転に移行する場合には、まず時刻ｔ２の時点で圧縮機を停止し、同時に暖房運転をしていた室内機の電子膨張弁を霜取り運転開度にするとともに、停止していた室内機の電子膨張弁を霜取り停止開度にする。そして、一定期間（ｔ４−ｔ２）経過後の時刻ｔ４の時点で、四方弁を冷房回路に切り替え、圧縮機を起動して霜取り運転を開始する。
【０００８】
これに対して、霜取り運転から暖房運転に復帰する場合には、霜取り運転を終了した時刻ｔ６の時点で圧縮機を停止し、一定時間（ｔ８−ｔ４）経過後の時刻ｔ８の時点で四方弁を暖房回路に切り替え、同時に暖房運転をおこなう電子膨張弁を暖房運転開度にするとともに、停止する室内機の電子膨張弁を暖房停止開度にして圧縮機を起動し暖房運転を再開する。
【０００９】
このように、かかるマルチエアコンについては、暖房運転中の室内機については図９に示すシングルエアコンと同様に制御され、暖房運転をしない室外機についてはその電子膨張弁が暖房停止開度または霜取り停止開度とされる。
【００１０】
【発明が解決しようとする課題】
しかしながら、上記従来の空気調整装置を用いた場合には、暖房運転から霜取り運転へと移行するための四方弁の切り替え時および霜取り運転から暖房運転へと復帰するための四方弁の切り替え時に、高低圧のバランスが十分でなく差圧が残る場合に冷媒音が発生するという問題がある。
【００１１】
すなわち、従来の空気調整装置においても、高低圧のバランスを見越して圧縮機の停止後一定時間経過後に四方弁を切り替えることとしているが、室温や外気温などによって高低圧のバランス速度が変わるため、必ずしも差圧がなくなるとは限らない。
【００１２】
また、差圧がなくなるまでバランス時間を十分長くとることとすると、冷媒音の問題については解消し得るものの、霜取り運転時間が長くなるために却って暖房能力が低下するという問題が生ずる。
【００１３】
特に、マルチエアコンについては、室外機に接続されているすべての室内機を暖房運転していない場合には、霜取り運転への移行時に停止中の室内機の電子膨張弁を通常全閉の霜取り停止開度とするので、室内機および室外機がそれぞれ１台からなるシングルエアコンに比べて差圧のバランス速度が遅くなる。このため、四方弁の切り替え時には差圧が残りやすく、運転をしていない室内機からも残差圧による四方弁の切り替え音が生じる。
【００１４】
また、霜取り運転から暖房運転に移行する場合にも、停止している室内機の電子膨張弁を四方弁が暖房回路に切り替わるまで霜取り停止開度を保持するため、差圧が残りやすくなり切り替え音が発生する。
【００１５】
この発明は、上記問題（課題）に鑑みてなされたものであり、暖房運転から霜取り運転に移行する際、または霜取り運転から暖房運転に移行する際に、四方弁の切り替えに伴って発生する冷媒音を低減することができる空気調和装置及びその制御方法を得ることを目的とする。
【００１６】
【課題を解決するための手段】
上記目的を達成するために、第１の発明にかかる空気調和装置は、複数の室内機にそれぞれ設けられ暖房運転をする暖房回路と、各室内機毎に設けられ記室内機の運転状況により弁開度を変更する電子膨張弁と、複数の室内機の冷房運転及び霜取り運転をする冷房回路と、暖房回路及び冷房回路を駆動する圧縮機と、暖房回路及び冷房回路と圧縮機との接続を切り替える四方弁と、暖房回路、電子膨張弁、冷房回路、圧縮機及び四法弁を制御する制御部とを有する空気調和装置であって、制御部は、所定の室内機が暖房運転から霜取り運転へと移行する際、圧縮機の運転周波数を徐々に下げて圧縮機を停止させ、圧縮機が停止した後に、霜取り運転を行う室内機の電子膨張弁を霜取り運転開度とし、圧縮機が停止した後に、霜取り運転を行わない室内機の電子膨張弁を所定の時間暖房停止開度に維持し、その後霜取り停止開度とし、霜取り運転を行わない室内機の電子膨張弁が霜取り停止開度となった後に、四方弁を切り替えることを特徴とする。
【００１７】
この発明は、所謂マルチエアコンにおいて、所定の室内機が暖房運転から霜取り運転へと移行する際に、圧縮機の運転周波数を徐々に下げてから圧縮機を停止することとしたので、四方弁の切り替え時に残る高低圧の差圧を低減することができる。また、圧縮機を停止した後直ちに四方弁を切り替えるのではなく、所定の時間経過後に四方弁を切り替えることとしたので、四方弁の切り替え時に残る高低圧の差圧をさらに低減することができる。さらに、暖房運転から霜取り運転に移行する際の圧縮機の停止後に、霜取り運転をおこなわない室内機の電子膨張弁を所定の時間暖房停止開度に維持し、四方弁を切り替える前に電子膨張弁を霜取り停止開度とすることとしたので、マルチエアコンの場合に生じ得る四方弁の切り替え時に残る高低圧の差圧を低減することができ、四方弁の切り替えに伴って発生する冷媒音を低減することができる。
【００１８】
第２の発明にかかる空気調和装置は、複数の室内機にそれぞれ設けられ暖房運転をする暖房回路と、各室内機毎に設けられ記室内機の運転状況により弁開度を変更する電子膨張弁と、複数の室内機の冷房運転及び霜取り運転をする冷房回路と、暖房回路及び冷房回路を駆動する圧縮機と、暖房回路及び冷房回路と圧縮機との接続を切り替える四方弁と、暖房回路、電子膨張弁、冷房回路、圧縮機及び四法弁を制御する制御部とを有する空気調和装置であって、制御部は、所定の室内機が暖房運転から霜取り運転へと移行する際、圧縮機の運転周波数を徐々に下げて圧縮機を停止させ、圧縮機が停止した後に、霜取り運転を行う室内機の電子膨張弁を霜取り運転開度とし、圧縮機が停止した後に、霜取り運転を行わない室内機の電子膨張弁を一旦暖房停止開度以上の弁開度に開き、その後霜取り停止開度とし、霜取り運転を行わない室内機の電子膨張弁が霜取り停止開度となった後に、四方弁を切り替えることを特徴とする。
【００１９】
この発明では、霜取り運転を行わない室内機の電子膨張弁を圧縮機の停止後一旦暖房停止開度以上の開度に開いた後に電子膨張弁を霜取り停止開度とすることとしたので、マルチエアコンの場合に生じ得る四方弁の切り替え時に残る高低圧の差圧をさらに低減することができ、四方弁の切り替えに伴って発生する冷媒音をさらに低減することができる。
【００２０】
第３の発明は、第１または第２の発明にかかる空気調和装置において、制御部は、所定の室内機が霜取り運転から暖房運転へと移行する際、圧縮機の運転周波数を徐々に下げて圧縮機を停止させ、圧縮機が停止した後に、暖房運転を行わない室内機の電子膨張弁を暖房停止開度とすることを特徴とする。
【００２１】
この発明では、圧縮機が停止した後に、暖房運転を行わない室内機の電子膨張弁を暖房停止開度とすることとしたので、四方弁の切り替え時に残る高低圧の差圧をさらに低減することができる。
【００２２】
第４の発明は、第１または第２の発明にかかる空気調和装置において、制御部は、所定の室内機が霜取り運転から暖房運転へと移行する際、圧縮機の運転周波数を徐々に下げて圧縮機を停止させ、圧縮機が停止した後に、暖房運転を行わない室内機の電子膨張弁を一旦暖房停止開度以上の弁開度に開き、その後暖房停止開度とすることを特徴とする。
【００２３】
この発明では、圧縮機の停止と同時に暖房運転をおこなわない室内機の電子膨張弁を一旦暖房停止開度以上の弁開度に開き、その後暖房停止開度とすることとしたので、四方弁の切り替え時に残る高低圧の差圧をさらに低減することができる。
【００２４】
第５の発明は、第１から第４のいずれかの発明にかかる空気調和装置において、圧縮機が停止してから四方弁を切り替えるまでの時間が、圧縮機の高低圧差がバランスして差圧がなくなるまでの時間であることを特徴とする。
【００２５】
この発明では、圧縮機の高低圧差がバランスして差圧がなくなった後に四方弁を切り替えるので、四方弁の切り替えに伴って発生する冷媒音を確実に低減することができる。
【００２６】
第６の発明にかかる空気調和装置の制御方法は、複数の室内機にそれぞれ設けられ暖房運転をする暖房回路と、各室内機毎に設けられ記室内機の運転状況により弁開度を変更する電子膨張弁と、複数の室内機の冷房運転及び霜取り運転をする冷房回路と、暖房回路及び冷房回路を駆動する圧縮機と、暖房回路及び冷房回路と圧縮機との接続を切り替える四方弁と、暖房回路、電子膨張弁、冷房回路、圧縮機及び四法弁を制御する制御部とを有する空気調和装置の制御方法であって、所定の室内機が暖房運転から霜取り運転へと移行する際、圧縮機の運転周波数を徐々に下げて圧縮機を停止させる第１の制御工程と、圧縮機が停止した後に、霜取り運転を行う室内機の電子膨張弁を霜取り運転開度にする第２の制御工程と、圧縮機が停止した後に、霜取り運転を行わない室内機の電子膨張弁を所定の時間暖房停止開度に維持し、その後霜取り停止開度とする第３の制御工程と、霜取り運転を行わない室内機の電子膨張弁が霜取り停止開度となった後に、四方弁を切り替える第４の制御工程とを有することを特徴とする。
【００２７】
この発明は、所謂マルチエアコンにおいて、所定の室内機が暖房運転から霜取り運転へと移行する際に、圧縮機の運転周波数を徐々に下げてから圧縮機を停止することとしたので、四方弁の切り替え時に残る高低圧の差圧を低減することができる。また、圧縮機を停止した後直ちに四方弁を切り替えるのではなく、所定の時間経過後に四方弁を切り替えることとしたので、四方弁の切り替え時に残る高低圧の差圧をさらに低減することができる。さらに、暖房運転から霜取り運転に移行する際の圧縮機の停止後に、霜取り運転をおこなわない室内機の電子膨張弁を所定の時間暖房停止開度に維持し、四方弁を切り替える前に電子膨張弁を霜取り停止開度とすることとしたので、マルチエアコンの場合に生じ得る四方弁の切り替え時に残る高低圧の差圧を低減することができ、四方弁の切り替えに伴って発生する冷媒音を低減することができる。
【００２８】
第７の発明にかかる空気調和装置の制御方法は、複数の室内機にそれぞれ設けられ暖房運転をする暖房回路と、各室内機毎に設けられ記室内機の運転状況により弁開度を変更する電子膨張弁と、複数の室内機の冷房運転及び霜取り運転をする冷房回路と、暖房回路及び冷房回路を駆動する圧縮機と、暖房回路及び冷房回路と圧縮機との接続を切り替える四方弁と、暖房回路、電子膨張弁、冷房回路、圧縮機及び四法弁を制御する制御部とを有する空気調和装置の制御方法であって、所定の室内機が暖房運転から霜取り運転へと移行する際、圧縮機の運転周波数を徐々に下げて圧縮機を停止させる第１の制御工程と、圧縮機が停止した後に、霜取り運転を行う室内機の電子膨張弁を霜取り運転開度にする第２の制御工程と、圧縮機が停止した後に、霜取り運転を行わない室内機の電子膨張弁を一旦暖房停止開度以上の弁開度に開き、その後霜取り停止開度とする第３の制御工程と、霜取り運転を行わない室内機の電子膨張弁が霜取り停止開度となった後に、四方弁を切り替える第４の制御工程とを有することを特徴とする。
【００２９】
この発明では、霜取り運転を行わない室内機の電子膨張弁を圧縮機の停止後一旦暖房停止開度以上の開度に開いた後に電子膨張弁を霜取り停止開度とすることとしたので、マルチエアコンの場合に生じ得る四方弁の切り替え時に残る高低圧の差圧をさらに低減することができ、四方弁の切り替えに伴って発生する冷媒音をさらに低減することができる。
【００３０】
第８の発明は、第６または第７の発明にかかる空気調和装置の制御方法において、所定の室内機が霜取り運転から暖房運転へと移行する際、圧縮機の運転周波数を徐々に下げて圧縮機を停止させる第５の制御工程と、圧縮機が停止した後に、暖房運転を行わない室内機の電子膨張弁を暖房停止開度にする第６の制御工程とをさらに有することを特徴とする。
【００３１】
この発明では、圧縮機が停止した後に、暖房運転を行わない室内機の電子膨張弁を暖房停止開度とすることとしたので、四方弁の切り替え時に残る高低圧の差圧をさらに低減することができる。
【００３２】
第９の発明は、第６または第７の発明にかかる空気調和装置の制御方法において、所定の室内機が霜取り運転から暖房運転へと移行する際、圧縮機の運転周波数を徐々に下げて圧縮機を停止させる第５の制御工程と、圧縮機が停止した後に、暖房運転を行わない室内機の電子膨張弁を一旦暖房停止開度以上の弁開度に開き、その後暖房停止開度にする第６の制御工程とをさらに有することを特徴とする。
【００３３】
この発明では、圧縮機の停止と同時に暖房運転をおこなわない室内機の電子膨張弁を一旦暖房停止開度以上の弁開度に開き、その後暖房停止開度とすることとしたので、四方弁の切り替え時に残る高低圧の差圧をさらに低減することができる。
【００３４】
第１０の発明は、第６から第９のいずれかの発明にかかる空気調和装置の制御方法において、圧縮機が停止してから四方弁を切り替えるまでの時間が、圧縮機の高低圧差がバランスして差圧がなくなるまでの時間であることを特徴とする。
【００３５】
この発明では、圧縮機の高低圧差がバランスして差圧がなくなった後に四方弁を切り替えるので、四方弁の切り替えに伴って発生する冷媒音を確実に低減することができる。
【００３６】
【発明の実施の形態】
以下に添付図面を参照して、この発明にかかる空気調和装置及びその制御方法の好適な実施の形態を詳細に説明する。
【００３７】
実施の形態１．
図１は、この発明にかかる空気調和装置の実施の形態１の構成を示す機能ブロック図である。同図に示すように、この空気調和装置１０は、暖房回路１１ａおよび電子膨張弁１１ｂを有する室内機１１と、圧縮機１２ａ、四方弁１２ｂ、冷房回路１２ｃおよび制御部１２ｄを有する室外機１２とからなる。なお、ここでは説明の便宜上、暖房運転および霜取り運転にかかわる部位のみを説明することとし、熱交換などの説明については省略する。
【００３８】
電子膨張弁１１ｂは、暖房運転をおこなう場合には暖房運転開度にされ、霜取り運転をおこなう場合には霜取り運転開度にされる弁であり、四方弁１２ｂは、暖房運転をおこなう場合には暖房回路１１ａ側に切り替えられ、霜取り運転をおこなう場合には冷房回路１２ｃ側に切り替えられる弁である。
【００３９】
制御部１２ｄは、暖房運転から霜取り運転への移行および霜取り運転から暖房運転への復帰などを制御する制御部であり、具体的には、暖房運転をおこなう場合には、電子膨張弁１１ｂを暖房運転開度にし、四方弁１２ｂを暖房回路１１ａに切り替えた状態で圧縮機１２ａを起動し、また、霜取り運転をおこなう場合には、電子膨張弁１１ｂを霜取り運転開度にし、四方弁１２ｂを冷房回路１２ｃに切り替えた状態で圧縮機１２ａを起動する。
【００４０】
図２は、図１に示す制御部１２ｄによる霜取り運転実行時の制御手順を示すフローチャートである。図２に示すように、この制御部１２ｄでは、霜取り運転に移行するまでは暖房運転（ステップＳ２０１）を繰り返し（ステップＳ２０２否定）、霜取り運転に移行する場合には（ステップＳ２０２肯定）、圧縮機１２ａの運転周波数を最低周波数まで下げた後に（ステップＳ２０３）、圧縮機１２ａを停止する（ステップＳ２０４）。
【００４１】
すなわち、この制御部１２ｄでは、暖房運転から霜取り運転への移行時に、従来の空気調和装置のようにいきなり圧縮機１２ａを停止するのではなく、圧縮機１２ａの運転周波数を徐々に最低周波数まで下げた後に圧縮機１２ａを停止するよう制御する。かかる制御をおこなう理由は、高低圧差のバランス速度を早めて四方弁１２ｂ切替時の冷媒音を緩和するためである。
【００４２】
その後、この制御部１２ｄは、電子膨張弁１１ｂを霜取り運転開度にし（ステップＳ２０５）、所定期間経過後に四方弁１２ｂを冷房回路１２ｃ側に切り替えた後に（ステップＳ２０６）、圧縮機１２ａを起動して霜取り運転を実行する（ステップＳ２０７）。
【００４３】
ここで、四方弁１２ｂの切り替えタイミングを所定期間遅らせる理由は、高低圧差を小さくするためであるので、この所定期間は、圧縮機１２ａの最低周波数時の高低圧差がバランスして差圧がなくなるまでの時間となる。
【００４４】
そして、所定の期間の霜取り運転を終了したならば、圧縮機１２ａの運転周波数を最低周波数まで下げた後に（ステップＳ２０８）、圧縮機１２ａを停止し（ステップＳ２０９）、所定期間経過後に四方弁１２ｂを暖房回路１１ａ側に切り替え（ステップＳ２１０）、電子膨張弁１１ｂを暖房運転開度にした後に（ステップＳ２１１）、圧縮機１２ａを起動する（ステップＳ２１２）。
【００４５】
このように、この制御部１２ｄでは、霜取り運転から暖房運転への復帰時においても、いきなり圧縮機１２ａを停止するのではなく、圧縮機１２ａの運転周波数を最低周波数まで下げた後に圧縮機１２ａを停止するよう制御し、高低圧差を小さくして四方弁１２ｂ切替時の切り替え音を緩和する。
【００４６】
つぎに、図１に示す制御部１２ｄの圧縮機１２ａ、電子膨張弁１１ｂおよび四方弁１２ｂの制御についてさらに詳細に説明する。図３は、図１に示す制御部１２ｄの圧縮機１２ａ、電子膨張弁１１ｂおよび四方弁１２ｂの制御タイミングの一例を示す図である。
【００４７】
図３に示すように、この制御部１２ｄでは、時刻ｔ１の時点で圧縮機１２ａの運転周波数を暖房運転時の最低周波数まで下げ、時刻ｔ２の時点で圧縮機１２ａを停止し、その後の時刻ｔ３の時点で四方弁１２ｂを冷房回路１２ｃ側に切り替える。
【００４８】
ここで、時刻ｔ１から時刻ｔ２までの時間Ｘ１（＝ｔ２−ｔ１）は、暖房運転時の最高周波数を最低周波数まで下げる場合に要する時間に設定する。これにより、暖房運転時における圧縮機１２ａの運転周波数がいずれであっても、時刻ｔ２の時点では必ず最低周波数となる。なお、かかる時間Ｘ１は、時刻ｔ１の時点での圧縮機１２ａの運転周波数に基づいて設定し、これによって霜取り時間を短くすることもできる。
【００４９】
また、この制御部１２ｄでは、時刻ｔ２から時刻ｔ３までの時間Ｙ１（＝ｔ３−ｔ２）が経過した後に四方弁１２ｂを切り替える。なお、かかる時間Ｙ１は、暖房運転時における圧縮機１２ａの最低周波数時の高低圧差がバランスし、差圧がなくなるまでの時間である。なお、暖房運転時に圧縮機１２ａの運転周波数を最低周波数にし、かつ、圧縮機１２ａの停止後に時間Ｙ１経過させることにより、四方弁１２ｂの切り替え時の差圧をさらに小さくすることができる。
【００５０】
また、時間Ｙ１を時刻ｔ１の時点での圧縮機１２ａの運転周波数に依存して設定すると、霜取りに要する時間を短くすることができる。さらに、従来と同様の差圧において四方弁１２ｂの切り替えをおこなうことにより、時間Ｙ１を従来よりもより短く設定でき、霜取りに要する時間を短縮できる。
【００５１】
また、霜取りが終了する時刻ｔ４の時点で最低周波数まで下げ、時刻ｔ５の時点で圧縮機１２ａを停止し、時刻ｔ６の時点で四方弁１２ｂを暖房回路１１ａに切り替える。なお、時刻ｔ４から時刻ｔ５の時点までの時間Ｘ２としては、霜取り運転周波数から最低周波数まで要する時間を設定する。
【００５２】
また、時刻ｔ５から時刻ｔ６までの時間Ｙ２を経過させた後、四方弁１２ｂを切り替える。なお、かかる時間Ｙ２は、霜取り運転時における圧縮機１２ａの最低周波数時の高低圧差がバランスし、差圧がなくなるまでの時間を設定する。
【００５３】
また、霜取り運転時に圧縮機１２ａの運転周波数を最低周波数にし、かつ、圧縮機１２ａの停止後に時間Ｙ２を経過させることにより、四方弁１２ｂの切替時の差圧をさらに小さくすることもできる。
【００５４】
上述してきたように、本実施の形態１では、制御部１２ｄが、暖房運転から霜取り運転への移行時若しくは霜取り運転から暖房運転への復帰時に、従来の空気調和装置のようにいきなり圧縮機１２ａを停止するのではなく、圧縮機１２ａの運転周波数を最低周波数まで下げた後に圧縮機１２ａを停止するよう構成したので、高低圧差のバランス速度を早めて四方弁１２ｂ切替時の冷媒音を緩和することができる。
【００５５】
また、圧縮機１２ａの停止後所定期間経過してから四方弁１２ｂを切り替えるよう構成したので、四方弁１２ｂ切り替え時の高低圧の差圧をさらに小さくし、冷媒音をさらに低減することができる。
【００５６】
実施の形態２．
ところで、上記実施の形態１では、本発明をシングルエアコンに適用した場合について説明したが、ここでは本発明をマルチエアコンに適用した場合について説明する。
【００５７】
図４は、この発明にかかる空気調和装置の実施の形態１の構成を示す機能ブロック図である。同図に示すように、この空気調和装置４０は、圧縮機１２ａ、四方弁１２ｂ、冷房回路１２ｃおよび制御部４１ａを有する室外機４１と、暖房回路１１ａおよび電子膨張弁４１ｂを有する室内機４２および４３とからなる。
【００５８】
このように、この空気調和装置４０は、２つの室内機４２および４３を有し、制御部４１ａの制御下に各室内機をそれぞれ独立に暖房運転できることとしている。なお、以下では説明の便宜上、室内機４２のみが暖房運転中であり、室内機４３については停止中であるものとする。
【００５９】
電子膨張弁４１ｂは、図１に示す電子膨張弁１１ｂと同様に、暖房運転中の室内機４２については暖房運転開度とされ、この室内機４２について霜取り運転をおこなう場合には霜取り運転開度とされる。これに対して、運転停止中の室内機４３については暖房停止開度とされ、霜取り運転をおこなう場合には霜取り停止開度とされる。
【００６０】
制御部４１ａは、室内機４２、室内機４３および室外機４１にかかわる全体制御をおこなう制御部であり、各室内機についての暖房運転から霜取り運転への移行および霜取り運転から暖房運転への復帰などを制御する。具体的には、この制御部４１ａは、暖房運転中の室内機４２の霜取りを実行する場合には、この室内機４２の電子膨張弁４１ｂを霜取り運転開度とし、室内機４３の電子膨張弁４１ｂを霜取り停止開度とし、四方弁１２ｂを冷房回路１２ｃに切り替えた状態で圧縮機１２ａを起動する。
【００６１】
つぎに、図４に示す制御部４１ａの圧縮機１２ａ、電子膨張弁４１ｂおよび四方弁１２ｂの制御についてさらに詳細に説明する。図５は、図４に示す制御部４１ａの圧縮機１２ａ、電子膨張弁４１ｂおよび四方弁１２ｂの制御タイミングの一例を示す図である。
【００６２】
図５に示すように、暖房運転から霜取り運転に移行する場合には、時刻ｔ１の時点で圧縮機１２ａの運転周波数を暖房運転時の最低周波数まで下げ、時刻ｔ２の時点で圧縮機１２ａを停止し、同時に暖房運転中の室内機４２の電子膨張弁４１ｂを霜取り運転開度とする。その後、時刻ｔ３の時点で運転停止中の室内機４３の電子膨張弁４１ｂを閉じはじめ、霜取り停止開度とした時刻ｔ４の時点で圧縮機１２ａを起動して霜取り運転を開始する。
【００６３】
ここで、この時刻ｔ３から時刻ｔ４までの時間としては、暖房停止開度から霜取り停止開度までの変化に要する時間を設定し、この時刻ｔ３までの時間すなわち時刻ｔ２から時刻ｔ３までの時間をできるだけ長くする。このように、霜取り運転をおこなわない室内機４３の電子膨張弁４１ｂが暖房停止開度であり、かつ、圧縮機１２ａを起動するまでの時間（ｔ３−ｔ２）を長くすることにより、暖房運転から霜取り運転に移行する際の四方弁１２ｂの切り替えに伴う冷媒音を緩和することができる。
【００６４】
また、霜取り運転から暖房運転に移行（復帰）する場合には、運転停止中の室内機４３の電子膨張弁４１ｂを時刻ｔ６の時点で開きはじめ、暖房停止開度とする。その後、時刻ｔ８の時点で暖房運転中の室内機４２の電子膨張弁４１ｂを暖房運転開度にするとともに、この時刻ｔ８の時点で圧縮機１２ａを起動し暖房運転を開始する。
【００６５】
このように、霜取り運転から暖房運転に移行する際の圧縮機１２ａの停止と同時に室内機４３の電子膨張弁４１ｂを暖房停止開度とすることにより、霜取り運転から暖房運転に移行する際の四方弁１２ｂの切り替えに伴う冷媒音を緩和することができる。
【００６６】
上述してきたように、本実施の形態２では、マルチエアコンを制御する制御部４１ａが、暖房運転から霜取り運転へと移行する場合に、暖房運転をおこなわない室内機４３の電子膨張弁４１ｂを圧縮機１２ａの停止と同時に霜取り停止開度とし、また霜取り運転から暖房運転への復帰時に、この室内機４３の電子膨張弁４１ｂを圧縮機１２ａの停止と同時に暖房停止開度とするよう構成したので、四方弁１２ｂの切り替えに伴う冷媒音を緩和することができる。
【００６７】
実施の形態３．
ところで、上記実施の形態２では、運転停止中の室内機４３の電子膨張弁４１ｂを圧縮機１２ａの停止と同時に閉じはじめることとしたが、本実施の形態３では、この電子膨張弁４１ｂの開閉にかかわる他の実施の形態について説明する。なお、この場合のマルチエアコンの構成は図４に示すものと同様のものとなるので、ここでは制御部４１ａの制御について説明することとする。
【００６８】
図６は、本実施の形態３にかかわる制御部４１ａの圧縮機１２ａ、電子膨張弁４１ｂおよび四方弁１２ｂの制御タイミングの一例を示す図である。図６に示すように、暖房運転から霜取り運転に移行する場合には、時刻ｔ２の時点で圧縮機１２ａが停止し、同時に暖房運転中の室内機４２の電子膨張弁４１ｂは霜取り運転開度になる。
【００６９】
また、この時刻ｔ２の時点で運転停止中の室内機４３の電子膨張弁４１ｂを開きはじめ、この電子膨張弁４１ｂの弁開度がＡとなる時刻ｔ３の時点でこの電子膨張弁４１ｂを閉じはじめ、時刻ｔ４の時点で霜取り停止開度にする。また、圧縮機１２ａを時刻ｔ４の時点で起動して霜取り運転を開始する。なお、かかる弁開度Ａは時刻ｔ２から時刻ｔ４までの時間内で最大となる開度を設定する。
【００７０】
また、霜取り運転から暖房運転に移行（復帰）する場合には、時刻６の時点で運転停止中の室内機４３の電子膨張弁４１ｂを開きはじめ、電子膨張弁４１ｂの弁開度がＢになる時刻７の時点でこの電子膨張弁４１ｂを閉じはじめ、時刻ｔ８の時点で暖房停止開度にする。また、暖房運転中の室内機４２の電子膨張弁４１ｂを時刻ｔ８の時点で暖房運転開度にして圧縮機１２ａを起動し、暖房運転を開始する。なお、かかる弁開度Ｂは時刻ｔ６から時刻ｔ８までの時間内で最大になる開度を設定する。
【００７１】
上述してきたように、本実施の形態３では、マルチエアコンを制御する制御部４１ａが、暖房運転から霜取り運転へと移行する場合に、暖房運転をおこなわない室内機４３の電子膨張弁４１ｂを一旦開いてから霜取り停止開度とするよう構成したので、暖房運転から霜取り運転へと移行する際の四方弁１２ｂの切り替えに伴う冷媒音を緩和することができる。
【００７２】
また、霜取り運転から暖房運転へと移行する場合に、圧縮機１２ａの停止と同時に暖房運転をおこなわない室内機４３の電子膨張弁４１ｂを一旦開いてから暖房停止開度とするよう構成したので、霜取り運転から暖房運転へと移行する際の四方弁１２ｂの切り替えに伴う冷媒音をさらに緩和することができる。
【００７３】
実施の形態４．
この実施の形態４では、上記電子膨張弁４１ｂの開閉にかかわる他の実施の形態について説明する。なお、この場合のマルチエアコンの構成についても図４に示すものと同様のものとなるので、ここでは制御部４１ａの制御について説明することとする。
【００７４】
図７は、本実施の形態４にかかわる制御部４１ａの圧縮機１２ａ、電子膨張弁４１ｂおよび四方弁１２ｂの制御タイミングの一例を示す図である。図７に示すように、暖房運転から霜取り運転へと移行する場合には、時刻ｔ２の時点で圧縮機１２ａを停止し、同時に暖房運転中の室内機４２の電子膨張弁４１ｂは霜取り運転開度とする。
【００７５】
また、運転停止中の室内機４３の電子膨張弁４１ｂは、時刻２の時点で図８に示すように段階的に開きはじめ、この電子膨張弁４１ｂの弁開度がＣとなる時刻ｔ３の時点で閉じはじめ、時刻ｔ４の時点で霜取り停止開度にする。また、時刻ｔ４の時点で圧縮機１２ａを起動し、霜取り運転を開始する。なお、かかる弁開度Ｃは時刻ｔ２から時刻ｔ４までの時間内で最大になる開度を設定する。
【００７６】
また、霜取り運転から暖房運転へと移行する場合には、運転停止中の室内機４３の電子膨張弁４１ｂを時刻ｔ６の時点で図８に示すように段階的に開きはじめ、この電子膨張弁４１ｂの弁開度がＤとなる時刻ｔの時点で電子膨張弁４１ｂを閉じはじめ、時刻ｔ８の時点で暖房停止開度とする。また、暖房運転中の室内機４２の電子膨張弁４１ｂを時刻ｔ８の時点で暖房運転開度にして圧縮機１２ａを起動し、暖房運転を開始する。なお、かかる弁開度Ｄは時刻ｔ６から時刻ｔ８までの時間内で最大になる開度を設定する。
【００７７】
上述してきたように、本実施の形態４では、マルチエアコンを制御する制御部４１ａが、暖房運転から霜取り運転へと移行する場合に、暖房運転をおこなわない室内機４３の電子膨張弁４１ｂを段階的に開いてから霜取り停止開度とするよう構成したので、暖房運転から霜取り運転へと移行する際の四方弁１２ｂの切り替えに伴う冷媒音を緩和することができる。
【００７８】
また、霜取り運転から暖房運転へと移行する場合に、圧縮機１２ａの停止と同時に暖房運転をおこなわない室内機４３の電子膨張弁４１ｂを段階的に開いてから暖房停止開度とするよう構成したので、霜取り運転から暖房運転へと移行する際の四方弁１２ｂの切り替えに伴う冷媒音をさらに緩和することができる。
【００７９】
なお、上記実施の形態２〜４では、暖房運転中の１台の室内機と運転停止中の１台の室内機を設けた場合を示したが、本発明はこれに限定されるものではなく、３台以上の室内機を制御する場合に適用することもできる。
【００８０】
【発明の効果】
以上説明したように、この発明にかかる空気調和装置によれば、制御部は、所定の室内機が暖房運転から霜取り運転へと移行する際、圧縮機の運転周波数を徐々に下げて圧縮機を停止させ、圧縮機が停止した後に、霜取り運転を行う室内機の電子膨張弁を霜取り運転開度とし、圧縮機が停止した後に、霜取り運転を行わない室内機の電子膨張弁を所定の時間暖房停止開度に維持し、その後霜取り停止開度とし、霜取り運転を行わない室内機の電子膨張弁が霜取り停止開度となった後に、四方弁を切り替えるので、所定の室内機が暖房運転から霜取り運転へと移行する際に、圧縮機の運転周波数を徐々に下げてから圧縮機を停止することとしたので、四方弁の切り替え時に残る高低圧の差圧を低減することができる。また、圧縮機を停止した後直ちに四方弁を切り替えるのではなく、所定の時間経過後に四方弁を切り替えることとしたので、四方弁の切り替え時に残る高低圧の差圧をさらに低減することができる。さらに、暖房運転から霜取り運転に移行する際の圧縮機の停止後に、霜取り運転をおこなわない室内機の電子膨張弁を所定の時間暖房停止開度に維持し、四方弁を切り替える前に電子膨張弁を霜取り停止開度とすることとしたので、マルチエアコンの場合に生じ得る四方弁の切り替え時に残る高低圧の差圧を低減することができ、四方弁の切り替えに伴って発生する冷媒音を低減することができる。
【００８１】
つぎの発明にかかる空気調和装置によれば、制御部は、所定の室内機が暖房運転から霜取り運転へと移行する際、圧縮機の運転周波数を徐々に下げて圧縮機を停止させ、圧縮機が停止した後に、霜取り運転を行う室内機の電子膨張弁を霜取り運転開度とし、圧縮機が停止した後に、霜取り運転を行わない室内機の電子膨張弁を一旦暖房停止開度以上の弁開度に開き、その後霜取り停止開度とし、霜取り運転を行わない室内機の電子膨張弁が霜取り停止開度となった後に、四方弁を切り替えるので、霜取り運転を行わない室内機の電子膨張弁を圧縮機の停止後一旦暖房停止開度以上の開度に開いた後に電子膨張弁を霜取り停止開度とすることとしたので、マルチエアコンの場合に生じ得る四方弁の切り替え時に残る高低圧の差圧をさらに低減することができ、四方弁の切り替えに伴って発生する冷媒音をさらに低減することができる。
【００８２】
つぎの発明にかかる空気調和装置によれば、制御部は、所定の室内機が霜取り運転から暖房運転へと移行する際、圧縮機の運転周波数を徐々に下げて圧縮機を停止させ、圧縮機が停止した後に、暖房運転を行わない室内機の電子膨張弁を暖房停止開度とするので、四方弁の切り替え時に残る高低圧の差圧をさらに低減することができる。
【００８３】
つぎの発明にかかる空気調和装置によれば、制御部は、所定の室内機が霜取り運転から暖房運転へと移行する際、圧縮機の運転周波数を徐々に下げて圧縮機を停止させ、圧縮機が停止した後に、暖房運転を行わない室内機の電子膨張弁を一旦暖房停止開度以上の弁開度に開き、その後暖房停止開度とするので、四方弁の切り替え時に残る高低圧の差圧をさらに低減することができる。
【００８４】
つぎの発明にかかる空気調和装置によれば、圧縮機が停止してから四方弁を切り替えるまでの時間が、圧縮機の高低圧差がバランスして差圧がなくなるまでの時間であるので、圧縮機の高低圧差がバランスして差圧がなくなった後に四方弁を切り替えることとなり、四方弁の切り替えに伴って発生する冷媒音を確実に低減することができる。
【００８５】
つぎの発明にかかる空気調和装置の制御方法によれば、所定の室内機が暖房運転から霜取り運転へと移行する際、圧縮機の運転周波数を徐々に下げて圧縮機を停止させる第１の制御工程と、圧縮機が停止した後に、霜取り運転を行う室内機の電子膨張弁を霜取り運転開度にする第２の制御工程と、圧縮機が停止した後に、霜取り運転を行わない室内機の電子膨張弁を所定の時間暖房停止開度に維持し、その後霜取り停止開度とする第３の制御工程と、霜取り運転を行わない室内機の電子膨張弁が霜取り停止開度となった後に、四方弁を切り替える第４の制御工程とを有するので、所謂マルチエアコンにおいて、所定の室内機が暖房運転から霜取り運転へと移行する際に、圧縮機の運転周波数を徐々に下げてから圧縮機を停止することとしたので、四方弁の切り替え時に残る高低圧の差圧を低減することができる。また、圧縮機を停止した後直ちに四方弁を切り替えるのではなく、所定の時間経過後に四方弁を切り替えることとしたので、四方弁の切り替え時に残る高低圧の差圧をさらに低減することができる。さらに、暖房運転から霜取り運転に移行する際の圧縮機の停止後に、霜取り運転をおこなわない室内機の電子膨張弁を所定の時間暖房停止開度に維持し、四方弁を切り替える前に電子膨張弁を霜取り停止開度とすることとしたので、マルチエアコンの場合に生じ得る四方弁の切り替え時に残る高低圧の差圧を低減することができ、四方弁の切り替えに伴って発生する冷媒音を低減することができる。
【００８６】
つぎの発明にかかる空気調和装置の制御方法によれば、所定の室内機が暖房運転から霜取り運転へと移行する際、圧縮機の運転周波数を徐々に下げて圧縮機を停止させる第１の制御工程と、圧縮機が停止した後に、霜取り運転を行う室内機の電子膨張弁を霜取り運転開度にする第２の制御工程と、圧縮機が停止した後に、霜取り運転を行わない室内機の電子膨張弁を一旦暖房停止開度以上の弁開度に開き、その後霜取り停止開度とする第３の制御工程と、霜取り運転を行わない室内機の電子膨張弁が霜取り停止開度となった後に、四方弁を切り替える第４の制御工程とを有するので、マルチエアコンの場合に生じ得る四方弁の切り替え時に残る高低圧の差圧をさらに低減することができ、四方弁の切り替えに伴って発生する冷媒音をさらに低減することができる。
【００８７】
つぎの発明にかかる空気調和装置の制御方法によれば、所定の室内機が霜取り運転から暖房運転へと移行する際、圧縮機の運転周波数を徐々に下げて圧縮機を停止させる第５の制御工程と、圧縮機が停止した後に、暖房運転を行わない室内機の電子膨張弁を暖房停止開度にする第６の制御工程とをさらに有するので、四方弁の切り替え時に残る高低圧の差圧をさらに低減することができる。
【００８８】
つぎの発明にかかる空気調和装置の制御方法によれば、所定の室内機が霜取り運転から暖房運転へと移行する際、圧縮機の運転周波数を徐々に下げて圧縮機を停止させる第５の制御工程と、圧縮機が停止した後に、暖房運転を行わない室内機の電子膨張弁を一旦暖房停止開度以上の弁開度に開き、その後暖房停止開度にする第６の制御工程とをさらに有するので、四方弁の切り替え時に残る高低圧の差圧をさらに低減することができる。
【００８９】
つぎの発明にかかる空気調和装置の制御方法によれば、圧縮機が停止してから四方弁を切り替えるまでの時間が、圧縮機の高低圧差がバランスして差圧がなくなるまでの時間であるので、圧縮機の高低圧差がバランスして差圧がなくなった後に四方弁を切り替えることとなり、四方弁の切り替えに伴って発生する冷媒音を確実に低減することができる。
【図面の簡単な説明】
【図１】  この発明にかかる空気調和装置の実施の形態１の構成を示す機能ブロック図である。
【図２】  図１に示す制御部による霜取り運転実行時の制御手順を示すフローチャートである。
【図３】  図１に示す制御部の圧縮機、電子膨張弁および四方弁の制御タイミングの一例を示す図である。
【図４】  この発明にかかる空気調和装置の実施の形態２の構成を示す機能ブロック図である。
【図５】  図４に示す制御部の圧縮機、電子膨張弁および四方弁の制御タイミングの一例を示す図である。
【図６】  本実施の形態３にかかる制御部の圧縮機、電子膨張弁および四方弁の制御タイミングの一例を示す図である。
【図７】  本実施の形態４にかかる制御部の圧縮機、電子膨張弁および四方弁の制御タイミングの一例を示す図である。
【図８】  電子膨張弁を段階的に開く弁開度の一例を示す図である。
【図９】  従来の空気調和装置による暖房運転時の霜取り制御の一例を示す図である。
【図１０】  従来のマルチエアコンによる暖房運転時の霜取り制御の一例を示す図である。
【符号の説明】
１０  空気調和装置、１１    室内機、１１ａ  暖房回路、１１ｂ  電子膨張弁、１２  室外機、１２ａ  圧縮機、１２ｂ  四方弁、１２ｃ  冷房回路、１２ｄ  制御回路、４０  空気調和装置、４１  室外機、４１ａ  制御部、４２，４３  室内機、４１ｂ  電子膨張弁。
【図１】
0003782248.tif 000002
【図２】
0003782248.tif 000003
【図３】
0003782248.tif 000004
【図４】
0003782248.tif 000005
【図５】
0003782248.tif 000006
【図６】
0003782248.tif 000007
【図７】
0003782248.tif 000008
【図８】
0003782248.tif 000009
【図９】
0003782248.tif 000010
【図１０】
0003782248.tif 000011